(57)【要約】【課題】給排気運転の開始時における調整対象室の負圧化を防止する。【解決手段】給排気運転の開始指令を受けたとき、給気側開閉ダンパＤ１，Ｄｓ，Ｄｓｓ及び排気側開閉ダンパＤ２，Ｄｒ，Ｄｒｒを開くのに先立ち給気ファンＦｓを起動し、その後、給気路３，３ａの圧力ｐｓ若しくは調整対象室５の圧力ｐａを検出する圧力センサ１４，１１の検出圧力が大気圧よりも高い設定安全圧力に上昇したときに、又は、タイマにより計時される給気ファン起動時点からの経過時間が設定安全時間に達したときに、給気側開閉ダンパＤ１，Ｄｓ，Ｄｓｓ及び排気側開閉ダンパＤ２，Ｄｒ，Ｄｒｒを開く制御手段１８を設ける。【選択図】図１
2014173820.tif 000002
【特許請求の範囲】
【請求項１】
給気ファンにより屋外から空気を取り入れて、その取入れ空気を調整対象室に供給する給気路を設けるとともに、その空気供給に伴い調整対象室の室内空気を室外に排出する排気路を設け、
この給排気運転に伴い調整対象室から前記排気路に排出する空気に対する通気抵抗を調整して調整対象室の室内圧力を大気圧よりも高い設定室内圧力に調整する室圧調整手段を設け、
前記給気路を開閉する給気側開閉ダンパ、及び、前記排気路を開閉する排気側開閉ダンパを設け、
給排気運転の開始指令に応じて前記給気側開閉ダンパ及び前記排気側開閉ダンパを開くとともに前記給気ファンを起動する制御手段を設けた給排気設備であって、
前記制御手段は、給排気運転の開始指令を受けたとき、前記給気側開閉ダンパ及び前記排気側開閉ダンパを開くのに先立ち前記給気ファンを起動し、
その後、前記給気路の圧力若しくは調整対象室の圧力を検出する圧力センサの検出圧力が大気圧よりも高い設定安全圧力に上昇したときに、又は、タイマにより計時される給気ファン起動時点からの経過時間が設定安全時間に達したときに、前記給気側開閉ダンパ及び前記排気側開閉ダンパを開く構成にしてある給排気設備。
【請求項２】
前記制御手段は、前記給気側開閉ダンパ及び前記排気側開閉ダンパを開くときに前記室圧調整手段を起動する構成にしてある請求項１記載の給排気設備。
【請求項３】
前記排気路に排気ファンを介装し、
前記制御手段は、給排気運転の開始指令を受けたとき、前記給気側開閉ダンパ及び前記排気側開閉ダンパを開くのに先立ち前記給気ファン及び前記排気ファンを同時に起動する構成にしてある請求項１又は２記載の給排気設備。
【請求項４】
前記排気路に排気ファンを介装し、
前記制御手段は、給排気運転の開始指令を受けたとき、前記給気側開閉ダンパ及び前記排気側開閉ダンパを開くのに先立ち前記給気ファンを起動し、
その後、前記圧力センサの検出圧力が大気圧よりも高い設定予備圧力に上昇したときに、又は、前記タイマにより計時される給気ファン起動時点からの経過時間が設定予備時間に達したときに、前記排気ファンを起動し、
この排気ファンの起動後、前記圧力センサの検出圧力が前記設定安全圧力に上昇したときに、又は、前記タイマにより計時される給気ファン起動時点からの経過時間が前記設定安全時間に達したときに、前記給気側開閉ダンパ及び前記排気側開閉ダンパを開く構成にしてある請求項１又は２記載の給排気設備。
【請求項５】
前記制御手段は、前記給気側開閉ダンパ及び前記排気側開閉ダンパを開くとき、それら開閉ダンパ夫々の開閉状態を検出する開閉センサによりそれら開閉ダンパ夫々の開動作の完了が検出されるまで、
前記給気路の圧力若しくは調整対象室の圧力を検出する圧力センサの検出情報に基づき前記給気ファンの回転数を調整して、前記給気路の圧力若しくは調整対象室の圧力を前記給気側開閉ダンパ及び前記排気側開閉ダンパの開き操作開始時の圧力に保持し、
その後、前記開閉センサにより前記給気側開閉ダンパ及び前記排気側開閉ダンパ夫々の開動作の完了が検出されると、前記給気ファンの回転数を増大させて前記給気路の圧力若しくは調整対象室の圧力を前記給気側開閉ダンパ及び前記排気側開閉ダンパの開き操作開始時の圧力から上昇させる構成にしてある請求項１〜４のいずれか１項に記載の給排気設備。
【請求項６】
前記排気路に排気ファンを介装し、
前記制御手段は、給排気運転の開始指令を受けたとき、前記給気側開閉ダンパ及び前記排気側開閉ダンパを開くのに先立ち前記給気ファン及び前記排気ファンを起動し、
その後、前記圧力センサの検出圧力が大気圧よりも高い設定安全圧力に上昇したときに、又は、前記タイマにより計時される給気ファン起動時点からの経過時間が設定安全時間に達したときに、前記給気側開閉ダンパ及び前記排気側開閉ダンパを開くとともに、
これら開閉ダンパを開くとき、前記給気側開閉ダンパ及び前記排気側開閉ダンパ夫々の開閉状態を検出する開閉センサによりそれら開閉ダンパ夫々の開動作の完了が検出されるまで、
前記給気路の圧力若しくは調整対象室の圧力を検出する圧力センサの検出情報に基づき前記給気ファンの回転数を調整して、前記給気路の圧力若しくは調整対象室の圧力を前記給気側開閉ダンパ及び前記排気側開閉ダンパの開き操作開始時の圧力に保持し、
かつ、前記排気路の圧力を検出する排気側圧力センサの検出情報に基づき前記排気ファンの回転数を調整して、前記排気路の圧力を前記給気側開閉ダンパ及び前記排気側開閉ダンパの開き操作開始時の圧力に保持し、
その後、前記開閉センサにより前記給気側開閉ダンパ及び前記排気側開閉ダンパ夫々の開動作の完了が検出されると、
前記給気ファンの回転数を増大させて前記給気路の圧力若しくは調整対象室の圧力を前記給気側開閉ダンパ及び前記排気側開閉ダンパの開き操作開始時の圧力から上昇させるとともに、
前記排気ファンの回転数を増大させて前記排気路の圧力を前記給気側開閉ダンパ及び前記排気側開閉ダンパの開き操作開始時の圧力から低下させる構成にしてある請求項１又は２記載の給排気設備。
【請求項７】
給気ファンにより屋外から空気を取り入れて、その取入れ空気を調整対象室に供給する給気路を設けるとともに、その空気供給に伴い調整対象室の室内空気を室外に排出する排気路を設け、
この給排気運転に伴い調整対象室から前記排気路に排出する空気に対する通気抵抗を調整して調整対象室の室内圧力を大気圧よりも高い設定室内圧力に調整する室圧調整手段を設け、
前記給気路を開閉する給気側開閉ダンパ、及び、前記排気路を開閉する排気側開閉ダンパを設け、
給排気運転の開始指令に応じて前記給気側開閉ダンパ及び前記排気側開閉ダンパを開くとともに前記給気ファンを起動する制御手段を設けた給排気設備であって、
屋外から前記給気路に空気を取り入れる予圧ファンを設け、
前記制御手段は、給排気運転の開始指令を受けたとき、前記給気側開閉ダンパ及び前記排気側開閉ダンパを開くのに先立ち前記予圧ファンを起動し、
その後、前記給気路の圧力若しくは調整対象室の圧力を検出する圧力センサの検出圧力が大気圧よりも高い設定安全圧力に上昇したときに、又は、タイマにより計時される給気ファン起動時点からの経過時間が設定安全時間に達したときに、前記給気ファンを起動して前記給気側開閉ダンパ及び前記排気側開閉ダンパを開くとともに、前記予圧ファンを停止する構成にしてある給排気設備。
【発明の詳細な説明】
【技術分野】
【０００１】
本発明は、薬品工場や電子部品工場など汚染物質の室内侵入を防止することが要求される施設に配備する給排気設備に関し、
詳しくは、給気ファンにより屋外から空気を取り入れて、その取入れ空気を調整対象室に供給する給気路を設けるとともに、その空気供給に伴い調整対象室の室内空気を室外に排出する排気路を設け、この給排気運転に伴い調整対象室から排気路に排出する空気に対する通気抵抗を調整して調整対象室の室内圧力を大気圧よりも高い設定室内圧力に調整する室圧調整手段を設け、給気路を開閉する給気側開閉ダンパ、及び、排気路を開閉する排気側開閉ダンパを設け、給排気運転の開始指令に応じて給気側開閉ダンパ及び排気側開閉ダンパを開くとともに給気ファンを起動する制御手段を設けた給排気設備に関する。
【０００２】
即ち、この給排気設備では、調整対象室から排気路に排出する空気に対する通気抵抗（即ち、排気通路抵抗）を室圧調整手段により調整して調整対象室の室内圧力を大気圧よりも高い設定室内圧力に調整することで、調整対象室への汚染物質の侵入を防止して調整対象室の室内清浄度を高く保つ。
【０００３】
また、給排気運転の停止時には、給気路に介装した給気側開閉ダンパ及び排気路に介装した排気側開閉ダンパを閉じることで、調整対象室への汚染物質の侵入を防止し、さらに、調整対象室を除染ガスにより除染するために給排気運転を停止する際には、給気側開閉ダンパ及び排気側開閉ダンパを閉じることで、調整対象室から外部への除染ガスの漏出を防止するとともに調整対象室への汚染物質の侵入を防止する。
【背景技術】
【０００４】
従来、この種の給排気設備では、調整対象室の操業休止や除染などによる給排気運転の停止状態から給排気運転を開始する起動制御として、制御手段は、給排気運転の開始指令を受けると、給気ファンのいわゆる締切運転による不安定化を回避するために、先ず給気側開閉ダンパ及び排気側開閉ダンパを開き、その後、給気ファンを起動するように構成されていた。
【発明の概要】
【発明が解決しようとする課題】
【０００５】
ところで、屋外空気を取り入れる給気路の空気取入口には常時変化する屋外の風圧（外風圧）が作用するため、この外風圧の影響を受けて給気路の圧力は給排気運転の運転中もある程度の範囲（例えば数Ｐａから数十Ｐａの範囲）で変動し、また、調整対象室から排出される空気を排気路を通じて屋外に排出する場合には、排気路の空気排出口にも外風圧が作用することで、給排気運転の運転中において排気路の圧力も変動する。
【０００６】
しかし、給排気運転中は給気ファンの運転により給気路における給気ファン以降の部分の圧力が大気圧よりも十分に高く保たれた状態で、室圧調整手段が調整対象室の室内圧力を大気圧よりも高い設定室内圧力に調整することから、上記の如く給気路や排気路の圧力が外風圧の影響を受けて変動したとしても、調整対象室の室内圧力を大気圧より高く保つことができ、調整対象室が負圧化することによる調整対象室への汚染物質の侵入は防止することができる。
【０００７】
しかし、前記した従来の給排気設備では、給排気運転の開始時において制御手段が給気側開閉ダンパ及び排気側開閉ダンパを開いたとき給気ファンが未だ起動前の停止状態にあることで、外風圧の影響による変動で給気路や排気路の圧力が一時的にせよ大気圧（標準的ないし平均的な大気圧）よりも低下する場合があり、これが原因で、調整対象室が負圧化して調整対象室への汚染物質の侵入を招く虞があった。
【０００８】
この実情に鑑み、本発明の主たる課題は、合理的な起動方式を採用することで給排気運転の開始時における上記の如き汚染物質侵入の問題を効果的に解消する点にある。
【課題を解決するための手段】
【０００９】
本発明の第１特徴構成は給排気設備に係り、その特徴は、
給気ファンにより屋外から空気を取り入れて、その取入れ空気を調整対象室に供給する給気路を設けるとともに、その空気供給に伴い調整対象室の室内空気を室外に排出する排気路を設け、
この給排気運転に伴い調整対象室から前記排気路に排出する空気に対する通気抵抗を調整して調整対象室の室内圧力を大気圧よりも高い設定室内圧力に調整する室圧調整手段を設け、
前記給気路を開閉する給気側開閉ダンパ、及び、前記排気路を開閉する排気側開閉ダンパを設け、
給排気運転の開始指令に応じて前記給気側開閉ダンパ及び前記排気側開閉ダンパを開くとともに前記給気ファンを起動する制御手段を設けた給排気設備であって、
前記制御手段は、給排気運転の開始指令を受けたとき、前記給気側開閉ダンパ及び前記排気側開閉ダンパを開くのに先立ち前記給気ファンを起動し、
その後、前記給気路の圧力若しくは調整対象室の圧力を検出する圧力センサの検出圧力が大気圧よりも高い設定安全圧力に上昇したときに、又は、タイマにより計時される給気ファン起動時点からの経過時間が設定安全時間に達したときに、前記給気側開閉ダンパ及び前記排気側開閉ダンパを開く構成にしてある点にある。
【００１０】
この構成によれば、上記の設定安全圧力又は設定安全時間として適当な圧力ないし時間を設定しておくことで、給気ファンの起動後、給気路や調整対象室の圧力を給気ファンの運転により予め十分に高めた状態で給気側開閉ダンパ及び排気側開閉ダンパを開くことができる。
【００１１】
したがって、それら給気側開閉ダンパ及び排気側開閉ダンパを開くときに外風圧の影響で給気路や排気路の圧力が低下側に変動したとしても、予め高めてある圧力により調整対象室の負圧化を防止することができ、これにより、給排気運転の開始時における調整対象室への汚染物質侵入を効果的かつ確実に防止することができる。
【００１２】
また、給気側開閉ダンパ及び排気側開閉ダンパを閉じた状態で給気ファンを運転するのは、圧力センサの検出圧力が大気圧よりも高い設定安全圧力に上昇するまで、又は、タイマにより計時される給気ファン起動時点からの経過時間が設定安全時間に達するまでであるから、上記の如く設定安全圧力又は設定安全時間として適当な圧力ないし時間を設定しておくことで、給気ファンの締切運転による不安定化も十分に回避することができる。
【００１３】
なお、この構成の実施において、室圧調整手段は給排気運転の実施中及び停止中を通じて室圧調整動作させるようにしてもよい。
【００１４】
この場合、給排気運転の停止中には、室圧調整手段は調整対象室の室内圧力を大気圧よりも高い設定室内圧力に調整しようとする動作上、調整対象室からの空気排出を遮断するように機能する。
【００１５】
また、上記構成の実施において、給気側開閉ダンパは、給気ファンの吐出側に設けるのが望ましいが、それに限らず、給気ファンの吸入側に設けてもよく、また、給気ファンの吐出側及び吸入側の双方に設けてもよい。
【００１６】
本発明の第２特徴構成は、第１特徴構成の実施に好適な実施形態を特定するものであり、その特徴は、
前記制御手段は、前記給気側開閉ダンパ及び前記排気側開閉ダンパを開くときに前記室圧調整手段を起動する構成にしてある点にある。
【００１７】
この構成によれば、給気側開閉ダンパ及び排気側開閉ダンパの開き操作時（即ち、調整対象室から排出する空気に対する通気抵抗調整による室内圧力の調整が可能になるとき）には、速やかに室圧調整手段の室圧調整動作を開始させて、調整対象室の負圧化防止に寄与させることができる。
【００１８】
本発明の第３特徴構成は、第１又は第２特徴構成の実施に好適な実施形態を特定するものであり、その特徴は、
前記排気路に排気ファンを介装し、
前記制御手段は、給排気運転の開始指令を受けたとき、前記給気側開閉ダンパ及び前記排気側開閉ダンパを開くのに先立ち前記給気ファン及び前記排気ファンを同時に起動する構成にしてある点にある。
【００１９】
この構成によれば、給気ファンと排気ファンとを同時に起動することで、給気ファンの起動に遅れて排気ファンを起動するのに比べ、給排気運転の定常状態への移行に要する時間を短縮することができる。
【００２０】
また、このように排気ファンを給気ファンと同時に起動するにしても、給気路や調整対象室の圧力は給気ファンの運転により予め十分に高めた状態で給気側開閉ダンパ及び排気側開閉ダンパを開くことができ、これにより、前述の第１特徴構成と同様にして、給排気運転の開始時における調整対象室への汚染物質侵入は効果的かつ確実に防止することができる。
【００２１】
本発明の第４特徴構成は、第１又は第２特徴構成の実施に好適な実施形態を特定するものであり、その特徴は、
前記排気路に排気ファンを介装し、
前記制御手段は、給排気運転の開始指令を受けたとき、前記給気側開閉ダンパ及び前記排気側開閉ダンパを開くのに先立ち前記給気ファンを起動し、
その後、前記圧力センサの検出圧力が大気圧よりも高い設定予備圧力に上昇したときに、又は、前記タイマにより計時される給気ファン起動時点からの経過時間が設定予備時間に達したときに、前記排気ファンを起動し、
この排気ファンの起動後、前記圧力センサの検出圧力が前記設定安全圧力に上昇したときに、又は、前記タイマにより計時される給気ファン起動時点からの経過時間が前記設定安全時間に達したときに、前記給気側開閉ダンパ及び前記排気側開閉ダンパを開く構成にしてある点にある。
【００２２】
この構成によれば、給気ファンの起動後、給気路や調整対象室の圧力を給気ファンの運転により予めある程度高めた状態で排気ファンを起動することができる。
【００２３】
したがって、給気側開閉ダンパ及び排気側開閉ダンパの開き操作前で外風圧の影響は未だ受けないにしても、排気ファンの起動で調整対象室が負圧化傾向になることを確実に防止することができ、これにより、給排気運転の開始時における調整対象室への汚染物質侵入を一層効果的かつ一層確実に防止することができる。
【００２４】
本発明の第５特徴構成は、第１〜第４特徴構成のいずれかの実施に好適な実施形態を特定するものであり、その特徴は、
前記制御手段は、前記給気側開閉ダンパ及び前記排気側開閉ダンパを開くとき、それら開閉ダンパ夫々の開閉状態を検出する開閉センサによりそれら開閉ダンパ夫々の開動作の完了が検出されるまで、
前記給気路の圧力若しくは調整対象室の圧力を検出する圧力センサの検出情報に基づき前記給気ファンの回転数を調整して、前記給気路の圧力若しくは調整対象室の圧力を前記給気側開閉ダンパ及び前記排気側開閉ダンパの開き操作開始時の圧力に保持し、
その後、前記開閉センサにより前記給気側開閉ダンパ及び前記排気側開閉ダンパ夫々の開動作の完了が検出されると、前記給気ファンの回転数を増大させて前記給気路の圧力若しくは調整対象室の圧力を前記給気側開閉ダンパ及び前記排気側開閉ダンパの開き操作開始時の圧力から上昇させる構成にしてある点にある。
【００２５】
この構成によれば、給気路の圧力若しくは調整対象室の圧力を給気側開閉ダンパ及び排気側開閉ダンパの開き操作開始時の圧力に保持した状態でそれら開閉ダンパを開き操作するから、給気ファンの回転数を増大させて給気路や調整対象室の圧力を定常運転状態に向け上昇させながら給気側開閉ダンパ及び排気側開閉ダンパを開き操作するのに比べ、それら開閉ダンパの開き操作時における給気風量や排気風量の変化を抑制することができ、その分、給排気運転を円滑かつ安定的に立ち上げることができる。
【００２６】
本発明の第６特徴構成は、第１又は第２特徴構成の実施に好適な実施形態を特定するものであり、その特徴は、
前記排気路に排気ファンを介装し、
前記制御手段は、給排気運転の開始指令を受けたとき、前記給気側開閉ダンパ及び前記排気側開閉ダンパを開くのに先立ち前記給気ファン及び前記排気ファンを起動し、
その後、前記圧力センサの検出圧力が大気圧よりも高い設定安全圧力に上昇したときに、又は、前記タイマにより計時される給気ファン起動時点からの経過時間が設定安全時間に達したときに、前記給気側開閉ダンパ及び前記排気側開閉ダンパを開くとともに、
これら開閉ダンパを開くとき、前記給気側開閉ダンパ及び前記排気側開閉ダンパ夫々の開閉状態を検出する開閉センサによりそれら開閉ダンパ夫々の開動作の完了が検出されるまで、
前記給気路の圧力若しくは調整対象室の圧力を検出する圧力センサの検出情報に基づき前記給気ファンの回転数を調整して、前記給気路の圧力若しくは調整対象室の圧力を前記給気側開閉ダンパ及び前記排気側開閉ダンパの開き操作開始時の圧力に保持し、
かつ、前記排気路の圧力を検出する排気側圧力センサの検出情報に基づき前記排気ファンの回転数を調整して、前記排気路の圧力を前記給気側開閉ダンパ及び前記排気側開閉ダンパの開き操作開始時の圧力に保持し、
その後、前記開閉センサにより前記給気側開閉ダンパ及び前記排気側開閉ダンパ夫々の開動作の完了が検出されると、
前記給気ファンの回転数を増大させて前記給気路の圧力若しくは調整対象室の圧力を前記給気側開閉ダンパ及び前記排気側開閉ダンパの開き操作開始時の圧力から上昇させるとともに、
前記排気ファンの回転数を増大させて前記排気路の圧力を前記給気側開閉ダンパ及び前記排気側開閉ダンパの開き操作開始時の圧力から低下させる構成にしてある点にある。
【００２７】
この構成によれば、排気路に排気ファンを介装する構成において、給気ファンの回転数を増大させて給気路や調整対象室の圧力を定常運転状態に向け上昇させながら、また、排気ファンの回転数を増大させて排気路の圧力を低下させながら、給気側開閉ダンパ及び排気側開閉ダンパを開き操作するのに比べ、それら開閉ダンパの開き操作時における給気風量や排気風量の変化を抑制することができ、その分、給排気運転を円滑かつ安定的に立ち上げることができる。
【００２８】
なお、排気ファンを設ける第３，第４，第６特徴構成のいずれかの実施において、排気側開閉ダンパは、排気ファンの吸入側に設けるのが望ましいが、それに限らず、排気ファンの吐出側に設けてもよく、また、排気ファンの吐出側及び吸入側の双方に設けてもよい。
【００２９】
本発明の第７特徴構成は給排気設備に係り、その特徴は、
給気ファンにより屋外から空気を取り入れて、その取入れ空気を調整対象室に供給する給気路を設けるとともに、その空気供給に伴い調整対象室の室内空気を室外に排出する排気路を設け、
この給排気運転に伴い調整対象室から前記排気路に排出する空気に対する通気抵抗を調整して調整対象室の室内圧力を大気圧よりも高い設定圧力に調整する室圧調整手段を設け、
前記給気路を開閉する給気側開閉ダンパ、及び、前記排気路を開閉する排気側開閉ダンパを設け、
給排気運転の開始指令に応じて前記給気側開閉ダンパ及び前記排気側開閉ダンパを開くとともに前記給気ファンを起動する制御手段を設けた給排気設備であって、
屋外から前記給気路に空気を取り入れる予圧ファンを設け、
前記制御手段は、給排気運転の開始指令を受けたとき、前記給気側開閉ダンパ及び前記排気側開閉ダンパを開くのに先立ち前記予圧ファンを起動し、
その後、前記給気路の圧力若しくは調整対象室の圧力を検出する圧力センサの検出圧力が大気圧よりも高い設定安全圧力に上昇したときに、又は、タイマにより計時される給気ファン起動時点からの経過時間が設定安全時間に達したときに、前記給気ファンを起動して前記給気側開閉ダンパ及び前記排気側開閉ダンパを開くとともに、前記予圧ファンを停止する構成にしてある点にある。
【００３０】
この構成によれば、前述の第１特徴構成と同様、上記の設定安全圧力又は設定安全時間として適当な圧力ないし時間を設定しておくことで、予圧ファンの起動後、給気路や調整対象室の圧力を予圧ファンの運転により予め十分に高めた状態で給気側開閉ダンパ及び排気側開閉ダンパを開くことができる。
【００３１】
したがって、それら給気側開閉ダンパ及び排気側開閉ダンパを開くときに外風圧の影響で給気路や排気路の圧力が低下側に変動したとしても、予め高めてある圧力により調整対象室の負圧化を防止することができ、これにより、給排気運転の開始時における調整対象室への汚染物質侵入を効果的かつ確実に防止することができる。
【００３２】
また、給気側開閉ダンパ及び排気側開閉ダンパを閉じた状態で予圧ファンを運転するのは、圧力センサの検出圧力が大気圧よりも高い設定安全圧力に上昇するまで、又は、タイマにより計時される給気ファン起動時点からの経過時間が設定安全時間に達するまでであるから、上記の如く設定安全圧力又は設定安全時間として適当な圧力ないし時間を設定しておくことで、予圧ファンの締切運転による不安定化も十分に回避することができる。
【００３３】
なお、第１特徴構成と同様、この構成の実施において、室圧調整手段は給排気運転の実施中及び停止中を通じて室圧調整動作させるようにしてもよい。
【００３４】
また、第１特徴構成と同様、この構成の実施において、給気側開閉ダンパは予圧ファンの吐出側に設けるのが望ましいが、それに限らず、予圧ファンの吸入側に設けてもよく、また、予圧ファンの吐出側及び吸入側の双方に設けてもよい。
【図面の簡単な説明】
【００３５】
【図１】給排気設備の設備構成図
【図２】第１実施形態における給排気運転の起動形態を示すグラフ
【図３】第２実施形態における給排気運転の起動形態を示すグラフ
【図４】第３実施形態における給排気運転の起動形態を示すグラフ
【発明を実施するための形態】
【００３６】
〔第１実施形態〕
図１は給排気設備を示し、建屋の屋上など屋外における適当箇所に、屋外空気ＯＡ（外気）を取り入れる外部取入口１及び建屋内からの排出空気ＥＡを屋外に排出する外部排出口２を設置し、外部取入口１には主給気路３の上流端を接続し、外部排出口２には主排気路４の下流端を接続してある。
【００３７】
建屋内における複数の調整対象室５には夫々、主給気路３からの分岐給気路３ａ及び主排気路４からの分岐排気路４ａを接続し、主給気路３の上流部と主排気路４の下流部とは循環路６により接続してある。
【００３８】
主給気路３における循環路６の接続箇所よりも上流側の部分には外気ダンパＤ１を介装し、主排気路４における循環路６の接続箇所よりも下流側の部分には排気ダンパＤ２を介装し、循環路６には循環ダンパＤ３を介装してある。
【００３９】
主給気路３における循環路６の接続箇所よりも下流側の部分には、空調機７と給気ファンＦｓとを介装するとともに、その給気ファンＦｓの吐出側箇所において主給気路用の気密ダンパＤｓを介装し、主排気路４における循環路６の接続箇所よりも上流側の部分には、排気ファンＦｒを介装するとともに、その排気ファンＦｒの吸入側において主排気路用の気密ダンパＤｒを介装してある。
【００４０】
気密ダンパＤｓ，Ｄｒは、通常のダンパに比べ全閉時の気密性を高くして、全閉時における気体のダンパ通過漏洩を防止したものである。
【００４１】
各々の調整対象室５に接続した分岐給気路３ａには、調整対象室５に対する給気風量ｑｓを調整対象室５各々の設定給気風量ｑｓｓに自動調整する定風量装置８と、分岐給気路用の気密ダンパＤｓｓと、高性能フィルタ９とを、その順で主給気路３の側から並べて介装し、各々の調整対象室５に接続した分岐排気路４ａには、室圧調整ダンパ１０と、分岐排気路用の気密ダンパＤｒｒとを、その順で主排気路４の側から並べて介装してある。
【００４２】
室圧調整ダンパ１０は、調整対象室５から排出する空気に対する通気抵抗（換言すれば、分岐排気路４ａの風路抵抗）を調整することで調整対象室７の室内圧力ｐａを調整するものであり、室圧センサ１１により検出される調整対象室５の室内圧力ｐａ（具体的には、基準圧配管１２を通じて付与される基準圧力に対する調整対象室５の圧力差）と設定室内圧力ｐａｓとの偏差Δｐａに応じて室圧調整器１３により室圧調整ダンパ１０の開度を調整することで、調整対象室５の室内圧力ｐａを大気圧よりも高く設定された設定室内圧力ｐａｓに調整する。
【００４３】
即ち、室圧調整ダンパ１０及び室圧調整器１３は、調整対象室５から排出する空気に対する通気抵抗を調整することで調整対象室５の室内圧力ｐａを設定室内圧力ｐａｓに調整する室圧調整手段Ｐｃとして機能する。
【００４４】
一方、主給気路３に対しては、給気ファンＦｓの吐出側で主給気路３に設けた給気圧センサ１４により検出される給気圧力ｐｓ（具体的には、基準圧配管１２を通じて付与される基準圧力に対する主給気路３の圧力差）と設定給気圧力ｐｓｓとの偏差Δｐｓに応じて給気ファンＦｓの回転数をインバータ制御により調整することで、主給気路３における給気圧力ｐｓを設定給気圧力ｐｓｓに調整する給気ファン制御器１５を設けてある。
【００４５】
また、主排気路４に対しては、排気ファンＦｒの吸入側で主排気路４に設けた排気圧センサ１６により検出される排気圧力ｐｒ（具体的には、基準圧配管１２を通じて付与される基準圧力に対する主排気路４の圧力差）と設定排気圧力ｐｒｓとの偏差Δｐｒに応じて排気ファンＦｒの回転数をインバータ制御により調整することで、主排気路４における排気圧力ｐｒを設定排気圧力ｐｒｓに調整する排気ファン制御器１７を設けてある。
【００４６】
設定給気圧力ｐｓｓ及び設定排気圧力ｐｒｓは、制御手段としての上位の運転制御器１８により給気ファン制御器１５及び排気ファン制御器１７に対して指定され、この運転制御器１８は、給排気運転が定常運転状態にある状況では給気ファン制御器１５に対して指定する設定給気圧力ｐｓｓを全ての調整対象室５における定風量装置８の開度状態に応じて変更することで、それら定風量装置８の各々が制御性の高い開度状態で風量調整機能するようにする。
【００４７】
同様に、運転制御器１８は、給排気運転が定常運転状態にある状況では排気ファン制御器１７に対して指定する設定排気圧力ｐｒｓを全ての調整対象室５における室圧調整ダンパ１０の開度状態に応じて変更することで、それら室圧調整ダンパ１０の各々が制御性の高い開度状態で風量調整機能するようにする。
【００４８】
運転制御器１８は、モード切換指令に応じて循環モードの給排気運転と全外気モードの給排気運転とを選択的に実施し、循環モードの給排気運転では運転制御器１８は、外気ダンパＤ１、排気ダンパＤ２、循環ダンパＤ３を開くとともに、全ての気密ダンパＤｓ，Ｄｒ，Ｄｓｓ，Ｄｒｒを開いた状態で給気ファンＦｓ及び排気ファンＦｒを運転し、これにより、外部取入口１から取り入れた外気ＯＡと循環路６を通じて戻る還気空気ＲＡとの混合空気を主給気路３及び分岐給気路３ａを通じて各調整対象室５に供給する。
【００４９】
また、各調整対象室５から分岐排気路４ａを通じ主排気路４に排出される空気ＥＡのうち外気ＯＡの取入れ風量に等しい風量を外部排出口２から屋外に排出し、残りの風量を還気空気ＲＡとして循環路６を通じ主給気路３に導く。
【００５０】
この循環モードの給排気運転は、操業下にある各調整対象室５を所定の温湿度状態に調整する通常空調運転において実施するものであり、外気ＯＡと還気空気ＲＡとの混合空気は空調機７において所要の温湿度状態に調整される。
【００５１】
一方、全外気モードの給排気運転では、運転制御器１８は、循環ダンパＤ３を閉じて、外気ダンパＤ１及び排気ダンパＤ２を開くとともに、全ての気密ダンパＤｓ，Ｄｒ，Ｄｓｓ，Ｄｒｒを開いた状態で給気ファンＦｓ及び排気ファンＦｒを運転し、これにより、外部取入口１から取り入れた外気ＯＡのみを主給気路３及び分岐給気路３ａを通じて各調整対象室５に供給する。
【００５２】
また、各調整対象室５から分岐排気路４ａを通じ主排気路４に排出される空気ＥＡの全風量を外部排出口２から屋外に排出する。
【００５３】
この全外気モードの給排気運転は、調整対象室５に過酸化水素水蒸気などの除染ガスを充満させて調整対象室５を除染（除菌）する除染運転の終了時に実施するものであり、この全外気モードの給排気運転により、調整対象室５に残留する除染ガスを室内から完全に排除する。
【００５４】
循環モードの給排気運転及び全外気モードの給排気運転のいずれにおいても定常運転状態にある状況では、運転制御器１８は、各調整対象室５での定風量装置８による給気風量ｑｓの調整、及び、室圧調整器１３による室圧圧力ｐａの調整に対して、給気ファン制御器１５に指定する設定給気圧力ｐｓｓを全ての調整対象室５における定風量装置８の開度状態に応じて変更するとともに、排気ファン制御器１７に指定する設定排気圧力ｐｒｓを全ての調整対象室５における室圧調整ダンパ１０の開度状態に応じて変更する。
【００５５】
また、操業休止や除染運転などで給排気運転の停止指令が付与されると、運転制御器１８は、給気ファンＦｓ及び排気ファンＦｒを停止するとともに、外気ダンパＤ１、排気ダンパＤ２、循環ダンパＤ３、並びに、全ての気密ダンパＤｓ，Ｄｒ，Ｄｓｓ，Ｄｒｒを閉じ、これにより、各調整対象室５への汚染物質の侵入を防止し、また、除染運転では除染が行われる調整対象室５から外部への除染ガスの漏出を防止する。
【００５６】
操業休止による給排気運転の停止状態から循環モードの給排気運転を開始する際の起動制御、及び、除染運転よる給排気運転の停止状態から除染運転終了時における全外気モードの給排気運転を開始する際の起動制御として、運転制御器１８は、給排気運転の開始指令を受けると、次の（ａ１）〜（ａ４）の制御を順次に実行するものにしてある（図２参照）。
【００５７】
（ａ１）給排気運転の開始指令を受けると、外気ダンパＤ１、排気ダンパＤ２、循環ダンパＤ３、並びに、全ての気密ダンパＤｓ，Ｄｒ，Ｄｓｓ，Ｄｒｒを閉じたままの状態で、ファン起動指令を給気ファン制御器１５及び排気ファン制御器１７に付与して、給気ファンＦｓ及び排気ファンＦｒを同時に起動する。
【００５８】
（ａ２）これらファンＦｓ，Ｆｒの同時起動に続き、給気ファン制御器１５に対して指定する設定給気圧力ｐｓｓを設定初期給気圧力ｐｓ１に向けて所定の変更速度ｖｓで漸次的に変更し、これにより、給気ファン制御器１５による給気ファンＦｓの回転数調整で、給気ファンＦｓの吐出側における主給気路３の給気圧力ｐｓを設定給気圧力ｐｓｓの変更に追随させて漸次的に上昇させる。
【００５９】
また、これに併行して、排気ファン制御器１７に対して指定する設定排気圧力ｐｒｓを絶対値が上記の設定初期給気圧力ｐｓ１より小さい設定初期排気圧力ｐｒ１に向けて所定の変更速度ｖｒで漸次的に変更し、これにより、排気ファン制御器１７による排気ファンＦｒの回転数調整で、排気ファンＦｒの吸入側における主排気路４の排気圧力ｐｒを設定排気圧力ｐｒｓの変更に追随させて漸次的に低下させる。
【００６０】
なお、図２において設定排気圧力ｐｒｓはその絶対値で示してある。
【００６１】
（ａ３）上記設定給気圧力ｐｓｓの変更による給気圧力ｐｓの上昇において給気圧センサ１４による検出給気圧力ｐｓが大気圧より高い設定安全圧力ｐｓ２になると、循環モードの給排気運転を開始する場合では、外気ダンパＤ１、排気ダンパＤ２、循環ダンパＤ３の夫々を開き、また、全外気モードの給排気運転を開始する場合では、循環ダンパＤ３を閉じたままの状態で外気ダンパＤ１及び排気ダンパＤ２を開く。
【００６２】
また、これに続いて、全ての気密ダンパＤｓ，Ｄｒ，Ｄｓｓ，Ｄｒｒを開く。
【００６３】
この際、分岐給気路用及び分岐排気路用の気密ダンパＤｓｓ，Ｄｒｒについては同時に開く方式、あるいは、重要度が高い調整対象室５ないし設定室内圧力ｐａｓの高い調整対象室５の気密ダンパＤｓｓ，Ｄｒｒから順次に開く方式のいずれを採用してもよい。
【００６４】
（ａ４）開き操作したダンパ夫々の開動作の完了が各ダンパの開閉状態を検出する開閉センサ１９により検出されていることを条件として、給気圧センサ１４による検出給気圧力ｐｓが設定初期給気圧力ｐｓ１に達し、かつ、排気圧センサ１６による検出排気圧力ｐｒが設定初期排気圧力ｐｒ１に達すると起動制御を終了し、前述した定常運転状態での給排気運転に移行する。
【００６５】
なお、運転制御器１８は、給気ファンＦｓを起動すると直ちに、室内圧力ｐａ、給気圧力ｐｓ、排気圧力ｐｒ並びに各部の動作について異常監視を開始し、異常が生じた際には給排気運転を緊急停止して設備を保護する。
【００６６】
また、本例の給排気設備では、給排気運転の停止状態においても室圧調整手段Ｐｃ（即ち、室圧調整ダンパ１０及び室圧調整器１３）による室圧調整を継続して実行させるが、給排気運転の停止状態では室圧調整手段Ｐｃよる室圧調整を停止して、上記各ダンパの開き操作時に室圧調整手段Ｐｃによる室圧調整を起動するようにしてもよい。
【００６７】
以上の如く、この給排気設備では、給排気運転の開始時に、給気路３，３ａを開閉するダンパＤ１，Ｄｓ，Ｄｓｓ、及び、排気路４，４ａを開閉するダンパＤ２，Ｄｒ，Ｄｒｒを開くのに先立ち給気ファンＦｓを起動し、その後、給気圧センサ１４による検出圧力ｐｓが大気圧よりも高い設定安全圧力ｐｓ２まで上昇したときに、それら給気路３，３ａにおけるダンパＤ１，Ｄｓ，Ｄｓｓ、及び、排気路４，４ａにおけるダンパＤ２，Ｄｒ，Ｄｒｒを開くようにしてある。
【００６８】
したがって、それら給気路３，３ａにおけるダンパＤ１，Ｄｓ，Ｄｓｓ、及び、排気路４，４ａにおけるダンパＤ２，Ｄｒ，Ｄｒｒを開くときに、外部取入口１や外部排出口２に作用する外風圧の影響で給気路３，３ａや排気路４，４ａの圧力が低下側に変動したとしても、給気ファンＦｓの先行起動により予め高めてある圧力ｐｓにより調整対象室５の負圧化を防止することができ、これにより、給排気運転の開始時における調整対象室５への汚染物質侵入を効果的かつ確実に防止することができる。
【００６９】
〔第２実施形態〕
この第２実施形態では、図１に示した給排気設備において、操業休止による給排気運転の停止状態から循環モードの給排気運転を開始する際の起動制御、及び、除染運転よる給排気運転の停止状態から除染運転終了時における全外気モードの給排気運転を開始する際の起動制御として、運転制御器１８は、給排気運転の開始指令を受けると、次の（ｂ１），（ｂ２）の制御を順次に実行するものにしてある（図３参照）。
【００７０】
（ｂ１）給排気運転の開始指令を受けると、外気ダンパＤ１、排気ダンパＤ２、循環ダンパＤ３、並びに、全ての気密ダンパＤｓ，Ｄｒ，Ｄｓｓ，Ｄｒｒを閉じたままの状態で、ファン起動指令を給気ファン制御器１５に付与して、先ず給気ファンＦｓを起動する。
【００７１】
そして、この給気ファンＦｓの起動に続き、給気ファン制御器１５に対して指定する設定給気圧力ｐｓｓを設定初期給気圧力ｐｓ１に向けて所定の変更速度ｖｓで漸次的に変更し、これにより、給気ファン制御器１５による給気ファンＦｓの回転数調整で、給気ファンＦｓの吐出側における主給気路３の給気圧力ｐｓを設定給気圧力ｐｓｓの変更に追随させて漸次的に上昇させる。
【００７２】
（ｂ２）上記設定給気圧力ｐｓｓの変更による給気圧力ｐｓの上昇において給気圧センサ１４による検出給気圧力ｐｓが設定予備圧力ｐｓ３になると、排気ファンＦｒを起動する。
【００７３】
そして、この排気ファンＦｒの起動に続き、上記設定給気圧力ｐｓｓの変更に併行して、排気ファン制御器１７に対して指定する設定排気圧力ｐｒｓを絶対値が上記の設定初期給気圧力ｐｓ１より小さい設定初期排気圧力ｐｒ１に向けて所定の変更速度ｖｒで漸次的に変更し、これにより、排気ファン制御器１７による排気ファンＦｒの回転数調整で、排気ファンＦｒの吸入側における主排気路４の排気圧力ｐｒを設定排気圧力ｐｒｓの変更に追随させて漸次的に低下させる。
【００７４】
なお、図３においても設定排気圧力ｐｒｓはその絶対値で示してある。
【００７５】
以降は第１実施形態で示した（ａ３），（ａ４）の制御と同様であり、設定給気圧力ｐｓｓの変更による給気圧力ｐｓの上昇において給気圧センサ１４による検出給気圧力ｐｓが大気圧より高い設定安全圧力ｐｓ２になると、循環モードの給排気運転を開始する場合では、外気ダンパＤ１、排気ダンパＤ２、循環ダンパＤ３の夫々を開き、また、全外気モードの給排気運転を開始する場合では、循環ダンパＤ３を閉じたままの状態で外気ダンパＤ１及び排気ダンパＤ２を開き、続いて、全ての気密ダンパＤｓ，Ｄｒ，Ｄｓｓ，Ｄｒｒを開く。
【００７６】
即ち、この第２実施形態においても、給排気運転の開始時には、給気路３，３ａを開閉するダンパＤ１，Ｄｓ，Ｄｓｓ、及び、排気路４，４ａを開閉するダンパＤ２，Ｄｒ，Ｄｒｒを開くのに先立ち給気ファンＦｓ及び排気ファンＦｒを起動し、その後、給気圧センサ１４による検出圧力ｐｓが大気圧よりも高い設定安全圧力ｐｓ２まで上昇したときに、それら給気路３，３ａにおけるダンパＤ１，Ｄｓ，Ｄｓｓ、及び、排気路４，４ａにおけるダンパＤ２，Ｄｒ，Ｄｒｒを開くようにし、これにより、ダンパ開操作時の外風圧の影響による調整対象室５の負圧化を防止する。
【００７７】
なお、この第２実施形態においても、分岐給気路用及び分岐排気路用の気密ダンパＤｓｓ，Ｄｒｒについては同時に開く方式、あるいは、重要度が高い調整対象室５ないし設定室内圧力ｐａｓの高い調整対象室５の気密ダンパＤｓｓ，Ｄｒｒから順次に開く方式のいずれを採用してもよい。
【００７８】
また、室圧調整手段Ｐｃによる室圧調整は給排気運転の停止状態において継続して実行させる方式、あるいは、給排気運転の停止状態では室圧調整手段Ｐｃよる室圧調整を停止して、上記各ダンパの開き操作時に室圧調整手段Ｐｃによる室圧調整を起動する方式のいずれを採用してもよい。
【００７９】
〔第３実施形態〕
この第３実施形態では、図１に示した給排気設備において、操業休止による給排気運転の停止状態から循環モードの給排気運転を開始する際の起動制御、及び、除染運転よる給排気運転の停止状態から除染運転終了時における全外気モードの給排気運転を開始する際の起動制御として、運転制御器１８は、給排気運転の開始指令を受けると、次の（ｃ１）〜（ｃ４）の制御を順次に実行するものにしてある（図４参照）。
【００８０】
（ｃ１）給排気運転の開始指令を受けると、外気ダンパＤ１、排気ダンパＤ２、循環ダンパＤ３、並びに、全ての気密ダンパＤｓ，Ｄｒ，Ｄｓｓ，Ｄｒｒを閉じたままの状態で、第１実施形態で示した（ａ１）の制御と同じく、ファン起動指令を給気ファン制御器１５及び排気ファン制御器１７に付与して、給気ファンＦｓ及び排気ファンＦｒを同時に起動する。
【００８１】
あるいは、図４において破線で示すように、第２実施形態で示した（ｂ１），（ｂ２）の制御と同じく、先ずファン起動指令を給気ファン制御器１５に付与して給気ファンＦｓを起動し、それに遅れて、ファン起動指令を排気ファン制御器１７に付与して排気ファンＦｒを起動する。
【００８２】
（ｃ２）これらファンＦｓ，Ｆｒの起動に続き、給気ファン制御器１５に対して指定する設定給気圧力ｐｓｓを設定初期給気圧力ｐｓ１に向けて所定の変更速度ｖｓで漸次的に変更し、これにより、給気ファン制御器１５による給気ファンＦｓの回転数調整で、給気ファンＦｓの吐出側における主給気路３の給気圧力ｐｓを設定給気圧力ｐｓｓの変更に追随させて漸次的に上昇させる。
【００８３】
また、これに併行して、排気ファン制御器１７に対して指定する設定排気圧力ｐｒｓを絶対値が上記の設定初期給気圧力ｐｓ１より小さい設定初期排気圧力ｐｒ１に向けて所定の変更速度ｖｒで漸次的に変更し、これにより、排気ファン制御器１７による排気ファンＦｒの回転数調整で、排気ファンＦｒの吸入側における主排気路４の排気圧力ｐｒを設定排気圧力ｐｒｓの変更に追随させて漸次的に低下させる。
【００８４】
なお、図４においても設定排気圧力ｐｒｓはその絶対値で示してある。
【００８５】
（ｃ３）第１実施形態で示した（ａ３）の制御と同しく、設定給気圧力ｐｓｓの変更による給気圧力ｐｓの上昇において給気圧センサ１４による検出給気圧力ｐｓが大気圧より高い設定安全圧力ｐｓ２になると、循環モードの給排気運転を開始する場合では、外気ダンパＤ１、排気ダンパＤ２、循環ダンパＤ３の夫々を開き、また、全外気モードの給排気運転を開始する場合では、循環ダンパＤ３を閉じたままの状態で外気ダンパＤ１及び排気ダンパＤ２を開く。
【００８６】
また、これに続いて、全ての気密ダンパＤｓ，Ｄｒ，Ｄｓｓ，Ｄｒｒを開く。
【００８７】
そして、このダンパ開き操作の開始に伴い、給気ファン制御器１５に指定する設定給気圧力ｐｓｓ、及び、排気ファン制御器１７に指定する設定排気圧力ｐｒｓの夫々を、ダンパ開き操作の開始時点の値に保持し、それにより、給気路３における給気圧力ｐｓ及び排気路４における排気圧力ｐｒをダンパ開き操作の開始時点の圧力に保持する。
【００８８】
（ｃ４）開き操作したダンパの全てについて開動作の完了が各ダンパの開閉状態を検出する開閉センサ１９により検出されると、給気ファン制御器１５に指定する設定給気圧力ｐｓｓ、及び、排気ファン制御器１７に指定する設定排気圧力ｐｒｓの夫々を、再び、設定初期給気圧力ｐｓ１及び設定初期排気圧力ｐｒ１に向けて所定の変更速度ｖｓ，ｖｒで漸次的に変更して、給気ファンＦｓの吐出側における主給気路３の給気圧力ｐｓを再び漸次的に上昇させるとともに、排気ファンＦｒの吸入側における主排気路４の排気圧力ｐｒを再び漸次的に低下させる。
【００８９】
以降は、第１実施形態で示した（ａ４）の制御と同様であり、給気圧センサ１４による検出給気圧力ｐｓが設定初期給気圧力ｐｓ１に達し、かつ、排気圧センサ１６による検出排気圧力ｐｒが設定初期排気圧力ｐｒ１に達すと起動制御を終了し、前述した定常運転状態での給排気運転に移行する。
【００９０】
即ち、この第３実施形態においても、給排気運転の開始時には、給気路３，３ａを開閉するダンパＤ１，Ｄｓ，Ｄｓｓ、及び、排気路４，４ａを開閉するダンパＤ２，Ｄｒ，Ｄｒｒを開くのに先立ち給気ファンＦｓ及び排気ファンＦｒを起動し、その後、給気圧センサ１４による検出圧力ｐｓが大気圧よりも高い設定安全圧力ｐｓ２まで上昇したときに、それら給気路３，３ａにおけるダンパＤ１，Ｄｓ，Ｄｓｓ、及び、排気路４，４ａにおけるダンパＤ２，Ｄｒ，Ｄｒｒを開くようにし、これにより、ダンパ開操作時の外風圧の影響による調整対象室５の負圧化を防止する。
【００９１】
この第３実施形態においても、分岐給気路用及び分岐排気路用の気密ダンパＤｓｓ，Ｄｒｒについては同時に開く方式、あるいは、重要度が高い調整対象室５ないし設定室内圧力ｐａｓの高い調整対象室５の気密ダンパＤｓｓ，Ｄｒｒから順次に開く方式のいずれを採用してもよい。
【００９２】
また、室圧調整手段Ｐｃによる室圧調整は給排気運転の停止状態において継続して実行させる方式、あるいは、給排気運転の停止状態では室圧調整手段Ｐｃよる室圧調整を停止して、上記各ダンパの開き操作時に室圧調整手段Ｐｃによる室圧調整を起動する方式のいずれを採用してもよい。
【００９３】
〔第４実施形態〕
この第４実施形態では、図１に示した給排気設備において同図に一点鎖線で示す如く、給気ファンＦｓと並列的に予圧ファン２０を設ける。
【００９４】
また、調整対象室５の側に送る空気を給気ファンＦｓには通過させずに予圧ファン２０に対して通過させる予圧ファン経路と、調整対象室５の側に送る空気を予圧ファン２０には通過させずに給気ファンＦｓに対して通過させる給気ファン経路とに、主給気路３の給気経路を択一的に切り換える切換ダンパ２１ａ，２１ｂを設ける。
【００９５】
そして、この設備構成において、操業休止による給排気運転の停止状態から循環モードの給排気運転を開始する際の起動制御、及び、除染運転よる給排気運転の停止状態から除染運転終了時における全外気モードの給排気運転を開始する際の起動制御として、運転制御器１８は、給排気運転の開始指令を受けると、次の（ｄ１）〜（ｄ４）の制御を順次に実行するものにしてある。
【００９６】
（ｄ１）給排気運転の開始指令を受けると、外気ダンパＤ１、排気ダンパＤ２、循環ダンパＤ３、並びに、全ての気密ダンパＤｓ，Ｄｒ，Ｄｓｓ，Ｄｒｒを閉じたままの状態で、また、給気ファンＦｓ及び排気ファンＦｒを停止したままの状態で、予圧ファン２０を起動する。
【００９７】
この際、主給気路３の給気経路は、切換ダンパ２１ａ，２１ｂによる切り換えにより、調整対象室５の側に送る空気を予圧ファン２０に通過させる予圧ファン経路に切り換えておく。
【００９８】
（ｄ２）その後、予圧ファン２０の運転による給気圧力ｐｓの上昇において給気圧センサ１４による検出給気圧力ｐｓが大気圧より高い設定安全圧力ｐｓ２になると、ファン起動指令を給気ファン制御器１５及び排気ファン制御器１７に付与して、給気ファンＦｓ及び排気ファンＦｒを起動する。
【００９９】
そして、これら給気ファンＦｓ及び排気ファンＦｒの起動に伴い、切換ダンパ２１ａ，２１ｂによる切り換えにより主給気路３の給気経路を給気ファン経路に切り換えるとともに、循環モードの給排気運転を開始する場合では、外気ダンパＤ１、排気ダンパＤ２、循環ダンパＤ３の夫々を開き、また、全外気モードの給排気運転を開始する場合では、循環ダンパＤ３を閉じたままの状態で外気ダンパＤ１及び排気ダンパＤ２を開く。
【０１００】
また、全ての気密ダンパＤｓ，Ｄｒ，Ｄｓｓ，Ｄｒｒを開き、その後、予圧ファン２０を停止する。
【０１０１】
（ｄ３）給気ファンＦｓ及び排気ファンＦｒの起動後は、給気ファン制御器１５に対して指定する設定給気圧力ｐｓｓを設定初期給気圧力ｐｓ１に向けて所定の変更速度ｖｓで漸次的に変更するとともに、排気ファン制御器１７に対して指定する設定排気圧力ｐｒｓを絶対値が上記の設定初期給気圧力ｐｓ１より小さい設定初期排気圧力ｐｒ１に向けて所定の変更速度ｖｒで漸次的に変更する。
【０１０２】
（ｄ４）開き操作したダンパ夫々の開動作の完了が各ダンパの開閉状態を検出する開閉センサ１９により検出されていることを条件として、給気圧センサ１４による検出給気圧力ｐｓが設定初期給気圧力ｐｓ１に達し、かつ、排気圧センサ１６による検出排気圧力ｐｒが設定初期排気圧力ｐｒ１に達すると起動制御を終了し、前述した定常運転状態での給排気運転に移行する。
【０１０３】
即ち、この第４実施形態においても、給排気運転の開始時には、給気路３，３ａを開閉するダンパＤ１，Ｄｓ，Ｄｓｓ、及び、排気路４，４ａを開閉するダンパＤ２，Ｄｒ，Ｄｒｒを開くのに先立ち予圧ファン２０を起動し、その後、給気圧センサ１４による検出圧力ｐｓが大気圧よりも高い設定安全圧力ｐｓ２まで上昇したときに、それら給気路３，３ａにおけるダンパＤ１，Ｄｓ，Ｄｓｓ、及び、排気路４，４ａにおけるダンパＤ２，Ｄｒ，Ｄｒｒを開くようにし、これにより、ダンパ開操作時の外風圧の影響による調整対象室５の負圧化を防止する。
【０１０４】
なお、この第４実施形態においても、分岐給気路用及び分岐排気路用の気密ダンパＤｓｓ，Ｄｒｒについては同時に開く方式、あるいは、重要度が高い調整対象室５ないし設定室内圧力ｐａｓの高い調整対象室５の気密ダンパＤｓｓ，Ｄｒｒから順次に開く方式のいずれを採用してもよい。
【０１０５】
また、室圧調整手段Ｐｃによる室圧調整は給排気運転の停止状態において継続して実行させる方式、あるいは、給排気運転の停止状態では室圧調整手段Ｐｃよる室圧調整を停止して、上記各ダンパの開き操作時に室圧調整手段Ｐｃによる室圧調整を起動する方式のいずれを採用してもよい。
【０１０６】
〔その他の実施形態〕
前述の各実施形態では、いずれも給気ファンＦｓの起動後、給気圧センサ１４による検出給気圧力ｐｓが設定安全圧力ｐｓ２まで上昇したとき、給気路３，３ａを開閉するダンパＤ１，Ｄｓ，Ｄｓｓ、及び、排気路４，４ａを開閉するダンパＤ２，Ｄｒ，Ｄｒｒを開くようにしたが、これに代え、給気ファンＦｓの起動後、室圧センサ１１による調整対象室５の検出室内圧力ｐａが設定安全圧力ｐｓ２まで上昇したとき、給気路３，３ａを開閉するダンパＤ１，Ｄｓ，Ｄｓｓ、及び、排気路４，４ａを開閉するダンパＤ２，Ｄｒ，Ｄｒｒを開くようにしてもよい。
【０１０７】
あるいはまた、給気ファンＦｓの起動後、タイマにより計時される給気ファン起動時点からの経過時間Ｔが設定安全時間Ｔ１に達したときに、それらダンパＤ１，Ｄ２，Ｄｓ，Ｄｒ，Ｄｓｓ，Ｄｒｒを開くようにしてもよい。
【０１０８】
一方、第２実施形態で示したように給気ファンＦｓの起動よりも遅らせて排気ファンＦｒを起動する場合、給気ファンＦｓの起動後、給気圧センサ１４による検出給気圧力ｐｓが設定予備圧力ｐｓ３まで上昇したときに排気ファンＦｒを起動するのに代えて、給気ファンＦｓの起動後、室圧センサ１１による調整対象室５の検出室内圧力ｐａが設定予備圧力ｐｓ３まで上昇したときに排気ファンＦｒを起動するようにしてもよい。
【０１０９】
あるいはまた、給気ファンＦｓの起動後、タイマにより計時される給気ファン起動時点からの経過時間Ｔが設定予備時間Ｔ２に達したときに排気ファンＦｒを起動するようにしてもよい。
【０１１０】
前述の各実施形態では、外気ダンパＤ１及び排気ダンパＤ２の開き操作に続き各気密ダンパＤｓ，Ｄｒ，Ｄｓｓ，Ｄｒｒを開き操作するようにしたが、これに代え、各気密ダンパＤｓ，Ｄｒ，Ｄｓｓ，Ｄｒｒの開き操作に続き外気ダンパＤ１及び排気ダンパＤ２を開き操作するようにしたり、外気ダンパＤ１及び排気ダンパＤ２の開き操作と各気密ダンパＤｓ，Ｄｒ，Ｄｓｓ，Ｄｒｒの開き操作とを同時に行うようにしてもよい。
【０１１１】
給気路３，３ａを開閉する給気側開閉ダンパは、給気ファンＦｓの吐出側あるいは吸入側のいずれに介装してもよく、また、排気路４，４ａを開閉する排気側ダンパも排気ファンＦｒの吸入側あるいは吐出側のいずれに介装してもよい。
【０１１２】
給気路３，３ａ及び排気路４，４ａを接続する調整対象室５は複数室あるいは１室のいずれであってもよい。
【産業上の利用可能性】
【０１１３】
本発明による給排気設備は、汚染物質の室内侵入を防止することが要求される各種分野における種々の目的の給排気運転に利用することができる。
【符号の説明】
【０１１４】
Ｆｓ                  給気ファン
ＯＡ                  屋外空気
５                    調整対象室
３，３ａ              給気路
４，４ａ              排気路
ｐａ                  調整対象室の圧力
ｐａａ                設定室内圧力
Ｐｃ（１０，１３）    室圧調整手段
Ｄ１，Ｄｓ，Ｄｓｓ    給気側開閉ダンパ
Ｄ２，Ｄｒ，Ｄｒｒ    排気側開閉ダンパ
１８                  制御手段
ｐｓ                  給気路の圧力
１１                  圧力センサ
１４                  圧力センサ
ｐｓ２                設定安全圧力
Ｔ                    経過時間
Ｔ１                  設定安全時間
Ｆｒ                  排気ファン
ｐｓ３                設定予備圧力
Ｔ２                  設定予備時間
１９                  開閉センサ
ｐｒ                  排気路の圧力
１６                  排気側圧力センサ
２０                  予圧ファン
【図１】
2014173820.tif 000003
【図２】
2014173820.tif 000004
【図３】
2014173820.tif 000005
【図４】
2014173820.tif 000006